【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
１つ又はそれ以上の対応するユーザ端末に多元接続チャネルの１つ又はそれ以上の空間分割多元接続（ＳＤＭＡ）チャネルの各々を介して通信信号を送信する段階と、
前記多元接続チャネルのＳＤＭＡチャネルを介した通信の再確立を試みている１つ又はそれ以上のユーザ端末の１つに対応する、同期バーストのための送信空間的重みのセットを、１つ又はそれ以上の通信信号によって前記同期バーストに引き起こされる干渉が低減されるように決定する段階と、
を含む方法。
【請求項２】
前記同期バーストの送信空間的重みのセットが、前記１つ又はそれ以上の対応するユーザ端末の少なくとも１つの空間シグネチャに直交することを特徴とする請求項１に記載の方法。
【請求項３】
前記同期バーストに対する１つ又はそれ以上の通信信号によって引き起こされる干渉が低減されるように、前記１つ又はそれ以上の通信信号の少なくとも１つの送信空間的重みのセットの振幅を減衰させる段階を更に含む請求項１に記載の方法。
【請求項４】
前記多元接続チャネルが、時分割多元接続チャネルであることを特徴とする請求項１に記載の方法。
【請求項５】
前記少なくとも１つの通信信号の送信空間的重みのセットの減衰された振幅が、前記１つ又はそれ以上の対応するユーザ端末との通信リンクを維持するのに十分であることを特徴とする請求項１に記載の方法。
【請求項６】
前記同期バーストの送信空間的重みが、前記対応するユーザ端末の特性に基づいて決定されることを特徴とする請求項２に記載の方法。
【請求項７】
前記特性が、前記多元接続チャネルのＳＤＭＡチャネルを介して通信を再確立しようとしているユーザ端末の空間シグネチャであり、前記空間シグネチャは、前記ユーザ端末が前記多元接続チャネルのＳＤＭＡチャネルを介して通信しているときに決定されることを特徴とする請求項６に記載の方法。
【請求項８】
前記対応するユーザ端末に対して前記同期バーストをブロードキャストする段階と、
前記多元接続チャネルのＳＤＭＡチャネルを介して通信の再確立を試みている前記１つ又はそれ以上のユーザ端末の次のユーザ端末に対応する同期バーストのための送信空間的重みのセットを、前記次のユーザ端末に対応する同期バーストと前記１つ又はそれ以上の通信信号との間の干渉が低減されるように決定する段階と、
を更に含む請求項１に記載の方法。
【請求項９】
前記多元接続チャネルのＳＤＭＡチャネルを介して前記対応するユーザ端末と通信が再確立されることを特徴とする請求項８に記載の方法。
【請求項１０】
前記次のユーザ端末に対応する同期バーストをブロードキャストする段階と、
前記多元接続チャネルのＳＤＭＡチャネルを介して通信の再確立を試みている前記１つ又はそれ以上のユーザ端末の全てとの通信が再確立されるまで、次のユーザ端末に対応する同期バーストのための送信空間的重みのセットを決定するオペレーションと、前記対応するユーザ端末に対して前記同期バーストをブロードキャストするオペレーションとを繰り返す段階と、
を更に含む請求項９に記載の方法。
【請求項１１】
多元接続チャネルのそれぞれの対応するＳＤＭＡチャネルを介して通信の再確立を試みている複数のユーザ端末の１つに対応する同期バーストのセットの各々を交互にブロードキャストする段階と、
前記対応するＳＤＭＡチャネルを介して前記複数のユーザ端末の第１ユーザ端末との通信を再確立する段階と、
を含む方法。
【請求項１２】
前記同期バーストの各々の送信空間的重みのセットが、前記同期バーストの全方向性放射パターンに近似するように決定される請求項１１に記載の方法。
【請求項１３】
前記対応するＳＤＭＡチャネルを介して前記第１ユーザ端末に通信信号を送信する段階と、
多元接続チャネルの対応するＳＤＭＡチャネルを介した通信の再確立を試みている前記１つ又はそれ以上の残っているユーザ端末の１つに対応する同期バーストのための送信空間的重みのセットを、前記同期バーストと前記第１ユーザ端末への通信信号との間の干渉が低減されるように決定する段階と、
前記対応するＳＤＭＡチャネルを介して前記対応するユーザ端末との通信が再確立されるように、前記対応するユーザ端末に対して前記対応する同期バーストをブロードキャストする段階と、
を更に含む請求項１１に記載の方法。
【請求項１４】
前記同期バーストの送信空間的重みのセットが、前記第１ユーザ端末の空間シグネチャに直交することを特徴とする請求項１３に記載の方法。
【請求項１５】
前記多元接続チャネルのＳＤＭＡチャネルを介して通信の再確立を試みている前記１つ又はそれ以上のユーザ端末の全てとの通信が再確立されるまで、同期バーストのための送信空間的重みのセットを決定するオペレーションと、前記対応するユーザ端末に対して前記同期バーストをブロードキャストするオペレーションとを繰り返す段階を更に含む請求項１３に記載の方法。
【請求項１６】
各同期バーストと前記１つ又はそれ以上の通信信号との間の干渉が低減されるように、前記通信信号の１つ又はそれ以上の送信空間的重みのセットの振幅を減衰させる段階を更に含む請求項１４に記載の方法。
【請求項１７】
通信装置であって、マルチアクセスチャンネルのそれぞれ対応するＳＤＭＡチャンネルを介して通信を再確立しようとする複数のユーザ端末中の１つのユーザ端末に各々が対応する同期バーストの集合の各同期バーストを代わる代わるブマルチアクセスチャンネル：出願時明細書では「多元接続チャンネル」ロードキャストして、該対応するＳＤＭＡチャンネルを介して該複数のユーザ端末中の第１のユーザ端末と通信を再確立し、
次いで、基地局が前記対応するＳＤＭＡチャンネルを介して前記第１のユーザ端末に通信信号を送信し、マルチアクセスチャンネルの対応するＳＤＭＡチャンネルを介して通信を再確立しようとする残りの１つ以上のユーザ端末中の１つのユーザ端末に対応する同期バーストについての送信空間重みの集合を、該同期バーストと該第１のユーザ端末への該通信信号との干渉を低減させるよう決定し、
前記対応するＳＤＭＡチャンネルを介して前記対応するユーザ端末との通信を再確立するよう該対応するユーザ端末に対して前記同期バーストをブロードキャストする通信装置。
【請求項１８】
前記同期バーストの送信空間的重みのセットが、前記１つ又はそれ以上の対応するユーザ端末の少なくとも１つの空間シグネチャに直交することを特徴とする請求項１７に記載の通信デバイス。
【請求項１９】
前記同期バーストに対する１つ又はそれ以上の通信信号によって引き起こされる干渉が低減されるように、前記１つ又はそれ以上の通信信号の少なくとも１つの送信空間的重みのセットの振幅を減衰させることを更に含む請求項１７に記載の通信デバイス。
【請求項２０】
前記同期バーストの送信空間的重みが、前記多元接続チャネルのＳＤＭＡチャネルを介して通信の再確立を試みているユーザ端末の特性に基づいて決定されることを特徴とする請求項１８に記載の通信デバイス。
【請求項２１】
前記特性が、記多元接続チャネルの前記ＳＤＭＡチャネルを介して通信の再確立を試みているユーザ端末の空間シグネチャであり、該空間シグネチャが、前記ユーザ端末が前記多元接続チャネルのＳＤＭＡチャネルを介して通信したときに決定されることを特徴とする請求項２０に記載の通信デバイス。
【請求項２２】
通信装置であって、複数のユーザ端末にサービスを提供し、基地局が、マルチアクセスチャンネルのそれぞれ対応するＳＤＭＡチャンネルを介して通信を再確立しようとする複数のユーザ端末中の１つのユーザ端末に各々が対応する同期バーストの集合の各同期バーストを代わる代わるブロードキャストして、該対応するＳＤＭＡチャンネルを介して該複数のユーザ端末中の第１のユーザ端末と通信を再確立する通信装置。
【請求項２３】
前記同期バーストの各々の送信空間的重みのセットが、前記同期バーストのための全方向性放射パターンに近似するように決定されることを特徴とする請求項２２に記載の通信デバイス。
【請求項２４】
前記基地局は、前記対応するＳＤＭＡチャネルを介して前記第１ユーザ端末に通信信号を引き続き送信し、多元接続チャネルの対応するＳＤＭＡチャネルを介して通信の再確立を試みている前記１つ又はそれ以上の残っているユーザ端末の１つに対応する同期バーストのための送信空間的重みのセットを、前記同期バーストと前記第１ユーザ端末に対する通信信号との間の干渉が低減されるように決定し、更に前記対応するＳＤＭＡチャネルを介して前記対応するユーザ端末との通信が再確立されるように前記対応するユーザ端末に対し前記対応する同期バーストをブロードキャストすることを特徴とする請求項２２に記載の通信デバイス。
【請求項２５】
前記同期バーストの送信空間的重みのセットは、前記第１ユーザ端末の空間シグネチャに直交することを特徴とする請求項２４に記載の通信デバイス。
【請求項２６】
前記多元接続チャネルのＳＤＭＡチャネルを介して通信の再確立を試みている前記１つ又はそれ以上のユーザ端末の全てと通信が再確立されるまで、前記基地局は、同期バーストのための送信空間的重みのセットを決定するオペレーションと、前記対応するユーザ端末に対して前記同期バーストをブロードキャストするオペレーションとを繰り返すことを特徴とする請求項２４に記載の通信デバイス。
【請求項２７】
前記基地局は、各同期バーストと前記１つ又はそれ以上の通信信号との間の干渉が低減されるように、前記通信信号の１つ又はそれ以上の送信空間的重みのセットの振幅を減衰させることを特徴とする請求項２５に記載の通信デバイス。
【請求項２８】
マルチアクセスチャンネルのそれぞれ対応するＳＤＭＡチャンネルを介して通信を再確立しようとする複数のユーザ端末中の１つのユーザ端末に各々が対応する同期バーストの集合の各同期バーストを代わる代わるブロードキャストするステップと、
前記対応するＳＤＭＡチャンネルを介して前記複数のユーザ端末中の第１のユーザ端末と通信を再確立するステップと、
前記対応するＳＤＭＡチャンネルを介して前記第１のユーザ端末に通信信号を送信するステップと、
マルチアクセスチャンネルの対応するＳＤＭＡチャンネルを介して通信を再確立しようとする残りの１つ以上のユーザ端末中の１つのユーザ端末に対応する同期バーストについての送信空間重みの集合を、該同期バーストと前記第１のユーザ端末への前記通信信号との干渉を低減させるよう決定するステップと、
前記対応するＳＤＭＡチャンネルを介して前記対応するユーザ端末との通信を再確立するよう、該対応するユーザ端末に対して前記同期バーストをブロードキャストするステップと、
を含む方法。
【請求項２９】
前記同期バーストの各々についての送信空間重みの集合を該各同期バーストの全方向放射パターンに近似させるべく決定する請求項２８に記載の方法。
【請求項３０】
前記同期バーストの送信空間重みの集合が前記第１のユーザ端末の空間シグネチャと直交する請求項２８に記載の方法。
【請求項３１】
請求項２８に記載の方法であって、さらに、同期バーストについての送信空間重みの集合を決定し、該同期バーストを前記対応するユーザ端末に対してブロードキャストする動作を、前記マルチアクセスチャンネルのＳＤＭＡチャンネルを介して通信を再確立しようとする１つ以上のすべてのユーザ端末について通信が再確立されるまで繰り返すステップ、を含む方法。
【請求項３２】
請求項３０に記載の装置であって、さらに、１つ以上の前記通信信号についての送信空間重みの集合の振幅を、前記各同期バーストと前記１つ以上の通信信号との干渉を低減させるよう減衰させるステップ、
を含む方法。